(57)【要約】【課題】多くのスケジュールを時系列的に簡単に管理することができる、スケジュール管理用具を提案する。【解決手段】縦方向に細長く、その長手方向に時間目盛４を付設したスケジュールバー２と、横方向へ細長い短冊形であって短辺長が相等しく単位時間を表す複数の単位片１４を有し、これら単位片の長辺を、折目線兼用の破断線１８を介して相互に連続させてなるスケジュール表示用シート１２とからなり、スケジュールバー２の表面と単位片１４の長辺方向一端部の裏面とのうちの一方に、他方への着脱自在な粘着層６を形成し、スケジュールバー２の１目盛の長さを、単位片１４の短辺長のほぼ整数倍とした。【選択図】図６
2009241296.tif 000002
【特許請求の範囲】
【請求項１】
縦方向に細長く、その長手方向に時間目盛４を付設したスケジュールバー２と、
横方向へ細長い短冊形であって短辺長が相等しく単位時間を表す複数の単位片１４
を有し、これら単位片の長辺を、折目線兼用の破断線１８を介して相互に連続させて
なるスケジュール表示用シート１２とからなり、
スケジュールバー２の表面と単位片１４の長辺方向一端部の裏面とのうちの一方に、
他方への着脱自在な粘着層６を形成し、
スケジュールバー２の１目盛の長さを、単位片１４の短辺長のほぼ整数倍としたこ
とを特徴とするスケジュール管理用具。
【請求項２】
請求項１のスケジュール管理用具を用いたスケジュール管理方法であって、
スケジュールバー２を利用者の目に入り易い固定面Sに貼り付け、
用事に対応する所要時間を定め、
その所要時間に相当する個数の単位片１４から成る予定表示ピース１６をスケジュ
ール表示用シート１２から切り取り、
この予定表示ピース１６に用事を書き込み、
この予定表示ピース１６を、スケジュールバー２のうち当該用事に対応する時間帯
に貼り付けるようにしたことを特徴とする、
スケジュール管理方法。
【請求項３】
上記固定面Sをコンピュータ画面の枠表面とし、
コンピュータを、コンピュータ画面の長辺又は短辺に沿って現在時刻を表す時刻マ
ーク２２が移動する時計表示手段として機能させるプログラムを用いて、スケジュー
ルバー２を取り付けた固定面に沿って上記時計表示２０を形成させ、
かつスケジュールバーの時間目盛の間隔と、その目盛に対応する時間に時刻マーク
が移動する距離とが一致するようにしたことを特徴とする、
請求項２記載のスケジュール管理方法。
【請求項４】
請求項１のスケジュール管理用具のパーツとして適したスケジュール表示用シートの
組において、
各スケジュール表示用シート１２は、横方向へ細長い短冊形であって短辺長が相等し
く単位時間を表す複数の単位片１４を有し、これら単位片の長辺を、折目線兼用の破
断線１８を介して相互に連続させており、
かつこれらスケジュール表示用シート１２は、縦方向に細長い長方形状であり、
さらに、それらスケジュール表示用シートの一端部を分離可能に結束させて、これ
らスケジュール表示用シートを積層したことを特徴とする、複数のスケジュール表示
用シートの組。
【請求項５】
上記スケジュール表示用シートを、その縦方向の一端部で分離可能に結束させるこ
とで、上記単位片１４の左右両端部を自由端としたことを特徴とする、請求項４に記
載の複数のスケジュール表示用シートの組。
【請求項６】
上記スケジュール表示用シートは、横方向の一端部の裏面を粘着層に形成し、この
一端部で分離可能に結束させて積層して、この一端部を固定端に、また横方向他端部
を自由端にそれぞれ形成し、
記単位片の長辺のうち固定端側の部分を切り込み線３０に、かつ残る部分を破断線
１８に形成したことを特徴とする、請求項４記載の複数のスケジュール表示用シート
の組。
【発明の詳細な説明】
【技術分野】
【０００１】
本発明は、スケジュール管理用具、スケジュール管理方法及びスケジュール表示用
シートの組に関する。
【背景技術】
【０００２】
従来、一日のスケジュールを書き込むための一日の時間割を印刷したスケジュール
手帳が用いられている。しかし手帳を使用した方法では予定を確認するために手帳を
取り出さなければならず、不便である。
これに対して、紙製の付箋に用事と予定される時刻とを書き込み、自分の机の上の
目に付き易い場所などに貼り付けておくことが行われている。
こうした付箋としては、多数の付箋用シートの裏面一側に接着層を形成して、これ
らシートを積層させて付箋綴りとし、さらに側部にミシン目を穿設して、一枚ずつ付
箋を切り離すことができるようにしたものが提案されている（特許文献１）。
さらに綴りの一枚の用紙から２枚以上の付箋を切り取ることができるようにミシン
目を穿設したものも知られている（特許文献２）。
【特許文献１】特開２００７−２８３５１８
【特許文献２】特開２０００−２１８９６１
【発明の開示】
【発明が解決しようとする課題】
【０００３】
特許文献１、特許文献２の付箋に用事を書いて目に付く場所に貼り付ける方法では、
付箋の数が多くなると、一連の用事を把握することが困難となる。
とくに仕事上でスケジュールの管理を行うときには、一日の勤務時間は限られてい
るのであるから、どの用事にどれだけの時間をかけることができるのかを予め見積も
ることが重要である。例えば７時間の勤務時間に対して、それを上回る仕事量があれ
ば、勢い残業が多くならざるを得なくなる。そうなればゆとりのある仕事ができなく
なり、ひいては健康を害するおそれもある。それは個人にとっても、企業にとっても
望ましくないことである。
【０００４】
現在、自分が抱えている仕事が何時間分の労働に相当するのかが予測できれば、優
先順位の低い用事を保留したり、或いは同僚に頼んだりして時間を融通することがで
きる。一つの仕事を何時間でやるということを自分で事前に決めることで、その時間
内にその仕事をこなしきるにはどうしたら良いかという問題意識が芽生え、時間の使
い方が上手くなることが期待される。しかしながら、周囲に付箋を付けたりするだけ
では、処理すべき用事が幾つあるということしか判らず、時間に対する所要時間を意
識しにくいので、スケジュール管理のシステムとしては十分ではない。
【０００５】
上記のような要請に鑑みて、本出願人はさまざまな試行の末に、一枚のシートから
所要時間に相当する面積を有するピースを切り取り、一日又は数日のスケジュールを
表す専用の器具に貼り付けることで、所要時間が一目で判るというアイディアに想到
した。しかしながら、シート部分の面積が時間を表すという用途のツールは今まで存
在しなかったものであり、使い慣れない人間にも簡単に扱えるものであることが必要
である。
【０００６】
本発明の第１の目的は、多くのスケジュールを時系列的に容易に管理することがで
きるとともに、簡単に使用することができる、スケジュール管理用具及びスケジュー
ル管理方法を提案することである。
【０００７】
本発明の第２の目的は、上記スケジュール管理用具としての用途に適した複数のス
ケジュール表示用シートの組であって、所要の時間に対応した必要なサイズのシート
部分を簡単に切り取って貼り付けることができるものを提供することである。
【課題を解決するための手段】
【０００８】
第１の手段は、スケジュール管理用具であり、
縦方向に細長く、その長手方向に時間目盛４を付設したスケジュールバー２と、
横方向へ細長い短冊形であって短辺長が相等しく単位時間を表す複数の単位片１４
を有し、これら単位片の長辺を、折目線兼用の破断線１８を介して相互に連続させて
なるスケジュール表示用シート１２とからなり、
スケジュールバー２の表面と単位片１４の長辺方向一端部の裏面とのうちの一方に、
他方への着脱自在な粘着層６を形成し、
スケジュールバー２の１目盛の長さを、単位片１４の短辺長のほぼ整数倍としたこ
とを特徴としている。
【０００９】
本発明の第１の特徴は、長手方向に時間軸を表すスケジュールバーに、用事を記入
した１又は２以上の単位片を着脱自在に付することができるようにしたことである。
これにより、用事を時間の順序に沿って配置することができるし、予定の変更に伴っ
て単位片で形成する予定表示ピースを付け替えることができる。第２の特徴は、単位
片の大きさがある単位時間（例えば３０分）を表していることである。例えば２単位
分の時間を要する用事であれば、連続した２枚の単位片を一つの予定表示ピースとし
てスケジュールバーに貼り付ければよい。これにより、一つの用事の所要時間を視覚
的に把握し易くなり、また一日の中で空きのある時間が一目で判るのでスケジュール
の調整がし易い。なお、本明細書において「縦」及び「横」というときには、特に断
らない限り、スケジュールバーと後述の単位片との相対的な向きを示しているものと
し、図面の縦・横方向とは関係ない。
【００１０】
「スケジュールバー」は、棒状又は帯状の部材であり、これにスケジュールを記入
した単位片を貼り付けるためのものである。望ましい一例として、スケジュールバー
は適当な固定面に、例えば生活空間又は仕事場の中で目に付き易い固定面に取り付け
ることができるようにすればよい。好適な取り付け箇所は、コンピュータ画面の枠表
面である。取り付け方法は任意であり、例えば裏面に接着層又は着脱自在な粘着層を
形成してもよいし、固定面が磁性体の表面であるときには全体をマグネットで構成し
てもよい。さらに好適な図示例では、スケジュールバーの表面に単位片取付け用の粘
着層を設けているが、単位片の適所（例えば一端部）裏面に粘着層を形成してもよい。
【００１１】
「時間目盛」としては、一日の中での、午前と午後、或いは１時間、３０分という
短い時間で区切ることもできるし、また、数日間の中での一日という単位で区切るこ
ともできる。
【００１２】
「スケジュール表示用シート」は、複数のピースに分割してスケジュールを表示す
るために用いる。好適な一例として、利用者が文字や記号を書き込み可能なメモ用シ
ート（メモ用紙）とすることができるが、必ずしもこれに限らない。用事の内容が複
数種類に分かれるときには、予め複数色のスケジュール表示用シートを提供するよう
にしておけば、異なる色のシートを使い分けるだけでスケジュールを組むことができ、
いちいちメモをする手間が省ける。例えば本発明を家事に利用するような場合に、掃
除は赤、買い物は緑、食事の支度は青という如く使い分けることができる。日常的な
仕事は色のピースで、突発的な用事はメモのピースで対応することももちろん可能で
ある。スケジュール表示用シートは、紙や合成樹脂などの安価な材料で形成すること
が望ましい。
【００１３】
「単位片」は、短辺長が単位時間を表している。そのことを利用者に了知させるた
めに、図１０、図１２（Ａ）に示すように単位片の端に、１５（分）＋１５（分）、３
０（分）のように対応する時間を印刷してもよい。なお、長辺ではなく短辺の長さを
時間に対応させた理由は、一定の長さのスケジュールバーにより多くの単位片を取り
付けることができるようにするためである。
【００１４】
「破断線」は、切り離すことができれば何でもよいが、素材が紙であるときにはミ
シン目で、合成樹脂であるときには、ミシン目又は薄肉線で形成することができる。
ミシン目と言っても大別して、直線的なミシン目付き刃を紙面垂直方向から押圧して
形成するもの（特開２０００−２８９１２７）と、周方向にミシン目を付した回転刃
を転接して形成するもの（特開２００５−００１０３０）とがある。本発明のミシン
目は、どちらの方法を用いてもよいが、できるだけ鋭利な切れ目を穿設することが望
ましい。何故ならば複数の単位片を一つのピースとして切取り、メモを書くときには、
ミシン目にまたがって文字を書くことがあるからである。
【００１５】
第２の手段は、上記のスケジュール管理用具を用いたスケジュール管理方法であっ
て、
スケジュールバー２を利用者の目に入り易い固定面Sに貼り付け、
用事に対応する所要時間を定め、
その所要時間に相当する個数の単位片１４から成る予定表示ピース１６をスケジュ
ール表示用シート１２から切り取り、
この予定表示ピース１６に用事を書き込み、
この予定表示ピース１６を、スケジュールバー２のうち当該用事に対応する時間帯
に貼り付けるようにしている。
【００１６】
本手段は、スケジュール管理用具の使い方を明らかにしたものである。特に用事の
所要時間に対応する枚数の単位片を一つの予定表示ピースとして、スケジュールバー
に着脱することでスケジュールの組み換えが容易となる。
【００１７】
第３の手段は、第２の手段を有し、かつ
上記固定面Sをコンピュータ画面の枠表面とし、
コンピュータを、コンピュータ画面の長辺又は短辺に沿って現在時刻を表す時刻マ
ーク２２が移動する時計表示手段として機能させるプログラムを用いて、スケジュー
ルバー２を取り付けた固定面に沿って上記時計表示２０を形成させ、
かつスケジュールバーの時間目盛の間隔と、その目盛に対応する時間に時刻マーク
が移動する距離とが一致するようにしている。
【００１８】
本手段では、コンピュータの時計機能に連動させて、コンピュータ操作画面の枠に
貼り付けたスケジュールバーに沿って、時刻マークを表示させることを提案している。
【００１９】
第４の手段は、第１の手段であるスケジュール管理用具のパーツとして適したスケジュ
ール表示用シートの組において、
各スケジュール表示用シート１２は、横方向へ細長い短冊形であって短辺長が相等し
く単位時間を表す複数の単位片１４を有し、これら単位片の長辺を、折目線兼用の破
断線１８を介して相互に連続させており、
かつこれらスケジュール表示用シート１２は、縦方向に細長い長方形状であり、
さらに、それらスケジュール表示用シートの一端部を分離可能に結束させて、これら
スケジュール表示用シートを積層している。
【００２０】
前述の特許文献２などにおいてミシン目入りの付箋綴りを示したが、この種の製品
と比べて本発明の製品が最も異なる点は、単位片の短辺長が単位時間を表す機能を有
していることである。例えば単位時間のｎ倍の時間を要する用事に関しては、ｎ個の
単位片を一まとめとしてもの（予定表示用ピース）として切り取り、スケジュールバ
ーに貼り付けるという独特の使い方をする。特許文献２などの付箋綴りの場合には、
単純に付箋及びメモ片として用いるに過ぎず、その用途のためなら大抵一片分の付箋
を切り取れば用が足りる。他方、本発明の場合には、メモの分量とは関係なく、用事
の長さに相当する枚数の単位片を切り取ることになる。本手段では、こうした用途に
適したスケジュール表示用シートの組の構成例を提案している。
【００２１】
本手段の主たる特徴は、縦長のスケジュール表示用シートを横長の単位片に分割し
たものである。これは同じ面積のシートからできるだけたくさんの枚数の単位片を取
れるようにするためである。例えば三単位分の二つの用事があるときに一枚のシート
片が５枚の単位片で構成されていたら、３＋２というように分割することとなり、最
後の２枚の単位片が無駄になってしまう。出来るだけ無駄を省くとともに一枚当たり
のメモ用の面積を確保するために、各単位片を横長短冊状とするとともに、スケジュ
ール表示用シートを縦長としている。一枚のシート片当りの単位片の数は任意である
が、一枚から、少なくとも半日に使う程度の単位片を切り取ることができるようにす
ることが望ましい。例えば一枚の単位片が３０分に相当するものとし、一日の午前中
の勤務時間が午前９時から１２時までとすると６枚、午後の勤務時間が午後１時から
５時までとすると８枚となる。従って一枚のシートが６〜８枚以上の単位片で形成さ
れていることが好適である。
【００２２】
破断線は、折り目線を兼ねるミシン目で形成する。このミシン目はシートを撓ませ
ると、簡単に折り目が付く程度の強度の弱化線とする。もっとも弱ければ弱いほどよ
い訳ではなく、例えば裏面の一部（一端部）を粘着層とするときには、その粘着力よ
りもミシン目での単位片相互の連結力が大きくなるように設計しておく。そうしなけ
れば複数の単位片からなるピースをスケジュールバーに取り付け、後で取外そうとす
るときにバラバラになってしまうからである。なお、単位片の長辺全部を破断線とす
る必要はなく、一部を切り込み線としてもよい。
【００２３】
「シートの組」というのは、シート帳、シート綴り、シートの束のように一端で結
束させたものという。結束の方法は任意である。スケジュール表示用シートに関して
第１の手段で記載したことは本手段に援用する。  
【００２４】
第５の手段は、第４の手段を有し、かつ
上記スケジュール表示用シートを、その縦方向の一端部で分離可能に結束させるこ
とで、上記単位片１４の左右両端部を自由端としている。
【００２５】
本手段では、複数の縦長のスケジュール表示用シートを、その長手方向一端で結束
することで各単位片１４を自由端とすることを提案している。この特徴は、各単位片
の境界線である破断線が折目線を兼ねるようにしたことと相まって次の利点を有する。
複数個の単位片を一つの予定表示ピースとして切り取る場合には、所要数の単位片
の区切りで確実に切り取ることが必要である。例えば５単位時間分の仕事に対して間
違って４枚分の単位片を一ピースとして切り取ってしまうと無駄になる。しかしなが
ら、僅かの間隔で多数のミシン目などを平行に横設させると、それらのミシン目を視
覚で判別しづらいことがあり、必要数の単位片を数えるのが面倒である。ミシン目の
中には、目で容易に識別できる程度の巾を持つ長孔を連ねたものもあるが、それでは
ミシン目の両側に亘って文字を書くときに書き心地がよくない。そこで本手段では、
単位片の両端を自由端とすることで、スケジュール記入シートを捲ったり、指で掴ん
だりすることで、折目線兼用の破断線に簡単に折目を入れられるようにしている。
【００２６】
第６の手段は、第４の手段を有し、かつ
上記スケジュール表示用シートは、横方向の一端部の裏面を粘着層に形成し、この
一端部で分離可能に結束させて積層して、この一端部を固定端に、また横方向他端部
を自由端にそれぞれ形成し、
上記単位片の長辺のうち固定端側の部分を切り込み線３０に、かつ残る部分を破断
線１８に形成している。
【００２７】
本手段では、単位片の長辺のうち固定端側に切り込み線を穿設して、必要数の単位
片を切り取り易くしている。すなわち、上記切り込み線は破断線に連続しているので、
切り取ろうとする予定表示ピース以外のシート部分を指で押さえ、このピースの固定
端側を摘んで引っ張ると、切り込み線から破断線へ容易に破断させることができる。
【発明の効果】
【００２８】
第１の手段及び第２の手段に係る発明によれば、次の効果を奏する。
○時間目盛によって時間経過を表すスケジュールバーに対して、用事記入用の一又は
２以上の単位片を取り付けることで、スケジュール全体を把握し易くなり、スケジュ
ールの調整が容易である。
○用事の所要時間に対応する枚数の単位片を予定表示ピースとして扱うので、スケジ
ュールの組み替えが簡単である。
○仕事の所要時間に合わせて、所定枚数の単位片をシートから切り取るので、一つの
仕事に何時間かかるということを常に意識することになり、スケジュール管理に対す
る意識が向上する。
【００２９】
第３の手段に係る発明によれば、本発明のスケジュールバーの時間目盛とコンピュ
ータの時計機能とを連係させたから、スケジュールバーの各時刻相当箇所に付したメ
モ片（予定表示ピース）と、コンピュータ操作画面上の時計表示とが同時に目に入る
ので、便利である。
【００３０】
第４の手段に係る発明によれば、縦長のスケジュール表示用シート１２を横長の単
位片１４に分割したから、一シート当たりの単位片の数が多くなり、複数の単位片か
らなる予定表示ピース１６をとるときに一枚のシートから多くのピースをとることが
できる。
【００３１】
第５の手段に係る発明によれば、単位片１４の両端を自由端としたから、折目線を
兼ねる破断線１８を折り曲げて切り取ることが容易である。
【００３２】
第６の手段に係る発明によれば、破断線に連続して切り込み線を入れたから、破断
操作が容易となる。
【発明を実施するための最良の形態】
【００３３】
図１から図１２は、本発明の第１の実施形態に係るスケジュール管理用具を示して
いる。このスケジュール管理用具は、スケジュールバー２と、スケジュール表示用シ
ート帳（スケジュール表示用シートの組）１０とからなる。
スケジュールバー２は、縦方向に細長い帯状の薄板であって、その表面には長手方
向に時間目盛４を形成している。図１では、当日のスケジュールを管理するための一
日用スケジュールバーを例示している。
【００３４】
上記時間目盛４は、一日のうち主要な時間帯（例えば勤務時間）をカバーするよう
にすることが望ましい。２４時間全てをカバーするようにすると、目盛が細かくなり
すぎるからである。図示例では、１時間単位で９時から１８時までをカバーしている
が、目盛の数は適宜変更することができる。また、時間目盛を図示の状態から９０度
回転させると、スケジュールバーの長手方向を水平とした状態で使用するのに適した
構成となる。
【００３５】
上記スケジュールバー２の表面及び裏面には、図２に示す如くそれぞれ粘着層６、
８を形成する。これら粘着層は、洗うことで粘着力を回復できる粘着剤（例えばウレ
タン粘着剤）とすることができる。表側の粘着層６は、後述の単位片を着脱自在に貼
り付けるためのものであり、また裏側の粘着層は適当な固定面に貼り付けるためのも
のである。好適な図示例では、スケジュールバーを、パーソナルコンピュータの操作
画面（液晶画面又はCRT画面など）の回りの枠の表面に着脱自在に貼り付けることが
できるようにしている。すなわち、その枠の一辺（垂直方向又は水平方向の一辺）の
長さ及び巾からスケジュールバーがはみださないようにバーの長さ及び巾を設計して
いる。今日のオフィス環境では、たいてい一人に一台のパーソナルコンピュータを使
っているので、その操作画面の枠にスケジュールバーを貼り付ければ仕事中つねにス
ケジュールを意識することができ、かつ新たに場所を取らないので便利である。スケ
ジュールバーを柔軟な板で形成すると、固定面に対して着脱させ易い。もっとも適当
な固定面のない環境もあるので、台座から起立する剛性の棒板に時間目盛を形成し、
自立タイプのスケジュールバーとして構成することもできる。この場合には裏面の粘
着層を省略することができる。このスケジュールバーは合成樹脂で形成することがで
きる。
【００３６】
スケジュール表示用シート帳１０は、同一サイズの多数のスケジュール表示用シー
ト１２を、剥離可能に積層したものである。各スケジュール表示用シートは、縦長の
矩形状のものであり、長手方向の一辺で相互に剥離可能に接着している。
【００３７】
上記スケジュール表示用シート１２は、複数毎の横長の短冊状の単位片１４を、ミ
シン目である破断線１８を介して縦方向に連ねている。それら単位片の横方向両端は
自由端となっている。このシートは紙製とすることができる。スケジュール表示用シ
ートの表面が破断線穿設箇所でも滑面となるように、上記破断線１８を鋭利な切れ目
で形成するとよい。
【００３８】
それぞれの単位片１４は同一の大きさに形成されている。単位片の短辺の長さはス
ケジュール管理上の単位時間の長さを表している。図示例のものは、短辺の長さが３
０分間の単位時間を表す。例えば２単位（１時間）分の時間を要する用事であるとき
には、スケジュール表示用シート１２から、隣り合う２枚の単位片をばらばらにせず
一ピースとして切り取り、スケジュールバーの対応する時間帯に貼り付ければよい。
こうすることで用事の所要時間を視覚的に認識することができ、便利である。
【００３９】
単位片の機能を担保するためには、単位片の短辺の長さを、スケジュールバーの時
間目盛の長さのほぼ整数分の１とすることが必要である。図示例では、単位片の短辺
長を時間目盛りの１／２としている。なお、個々の単位片１４をスケジュールバーに
着脱する際に隣り合う単位片と接触しないように、短辺長を本来の整数分の１よりも
若干短くしてもよい。この点については後述する。
【００４０】
図４は、スケジュールバーの変形例である。同例では、近日中のスケジュール管理
に用いる数日用スケジュールバー２Ｂである。図示例では、時間目盛として１日毎の
区切りがあるだけで、それ以上に細かい時間の区分をしていない。当日に処理できな
い用事を表す単位片を一応数日用スケジュールに仮止めしておくためのものである。
数日用スケジュールバーで細かい時間区分をすると、スケジュールバーを長く形成す
ることが必要となり、利用者の目に入る場所でスケジュールを簡単に管理するという
本発明の特徴を活かしにくいからである。もっとも、一日を午前と午後に区切るとい
う程度であれば可能である。なお、スケジュールバーの表面に図１の構成を、裏面に
図４の構成をそれぞれ形成することもできる。
【００４１】
図５は、スケジュールバーの他の変形例である。このスケジュールバーの特徴は、
一日２４時間のうち１２時間分の目盛りが表示されていることである。さらに各目盛
りに関して、午前１２時を含む一連の時刻が１２を超えない数字で表示されていると
好適である。図示例では午前８時から午後７時までの一連の時刻が表示されている。
ここで重要なのは、午後の時刻が例えば１９時ではなく（午後）７時と表示されてい
ることである。このスケジュールバーの使用方法であるが、午前８時帯から午後７時
帯までは普通に使う。午後になったら既に経過した午前分の予定表示ピースをスケジ
ュールバーから取り除く。そして仮に午後８時以降に処理すべき仕事が残っていると
きには、図５に想像線で示す如く本来午前８時帯用のスペースに、午後８時帯用の用
事を貼付する。このようにすることで、本来１２時間分の帯しかないスケジュールバ
ーを２４時間用に使用することができ、その結果として一時間分の巾を長くすること
ができる。本発明はコンピュータ用画面の枠に適用することを前提としているが、市
販のコンピュータ用画面の枠は３０ｃｍ程度しかない場合がある。その長さに２４時
間を割り当てると、一時間当りの長さは１ｃｍ強となる。そのような短い間に１時間
分の用事を書き込むことは無理な場合が多いが、本手段の方法ではそうした問題を解
消できる。
【００４２】
次に本発明のスケジュール管理用具を使用した、スケジュール管理方法について説
明をする。
（１）まずスケジュールバー２をコンピュータの操作画面の枠Ｆなどに図７の如く貼
り付ける。スケジュールバーとしては、一日用スケジュールバー２Ａと、数日用スケ
ジュールバー２Ｂとを用いることにする。
（２）次に当日にすべき用事を紙などに全て書き出し、それぞれの用事に関して所要
時間を設定する。
（３）図６に示す如く所要時間に対応する枚数の単位片１４を一つの予定表示ピース
１６として、当該ピースに用事を書き込む。
（４）用事のうち、実行すべき時刻が決まっているもの（会議・来客など）を「固定
スケジュール」（あるいはアポイントメント）Ｓｃといい、いつでも自由に行うことが
できるものを「タスク」（Ｔａｓｋ）ということにする。まず固定スケジュールを表す
予定表示ピース１６を図６の如くスケジュールバー２に貼り付ける。この状態で、ス
ケジュールバーの上で空間のスペースが自由に予定を組むことができる時間である。
（５）次に優先順位を考えながら、タスクを表す予定表示ピース１６を、スケジュー
ルバー２の空間スペースに貼っていく。この段階で、スケジュールバー上にまだ空間
スペースがあれば、それは臨時に入った仕事に用いることができる余剰時間である。
（６）これとは逆にすべきタスクが残っているのに、スケジュールバー上の空白がな
くなってしまったときには、数日用スケジュールバー２Ｂに予定表示ピース１６を一
時的に仮止めすればよい。
（７）さらに一日の間で予定外の用事が発生したときには、図６に示す如く移動可能
なタスクの予定表示ピース１６を付け替えて、スケジュールを再構成すればよい。な
お、色違いの複数のスケジュール表示用シート１２を用意しておき、時刻が固定され
る「固定スケジュール」はブルー、いつ処理してもよい「タスク」はイエロー、さら
に緊急の業務は「ピンク」というように使い分けると便利である。
（８）また、一日のうちで予定が入ったときには、メモ片に書き留めて数日用スケジ
ュールバー２Ｂに仮止めしておくとよい。
【００４３】
スケジュール管理方法の基本的な手順は上記の通りであるが、例えばある用事に対
して予め見積もった時間内に終わらなかったらどうするのかと言えば、さらに必要と
思われる時間分に相当する枚数の単位片のピースをシートから切り取って、仮止め用
のスケジュールバー２Ｂなどに貼り付けておくとよい。最初に見積もった時間内に処
理が終わらなかったことで、次回からは正確に時間を見積もろうとする意識が働き、
利用者のスケジュール管理能力が向上する。メモ帳や普通の付箋に予定を書くときに
は、書きっぱなしであり、本発明のスケジュールの管理方法に習熟したときには、こ
れらの方法との差異は大きい。また、タイムチャージで仕事をする職種の場合には、
使い終わった予定表示シートから所要時間を集計し、請求書の作成に利用することも
できる。
【００４４】
［実施例１］−単位片の隙間代−
図８及び図９は、本発明の１つの実施例を示している。この実施例は、前述の単位
片の短辺長について詳しく開示している。先の実施形態では、単位片１４の短辺は、
スケジュールバー２の時間目盛４の整数分の１とすればよいと述べている。しかし、
実施例としては、単位片１４を着脱させるときに単位片相互が触れ合わないよいに、
本来の整数分の１よりも、隙間代（これをΔｄとする）の分だけ短くすることが望ま
しい（図８参照）。しかしながら、ｎ個の単位片を連続して一つの予定表示片として貼
り付けるときには、本来の長さ（時間目盛の長さをＬとするとＬ／２）に対してｎ×Δ
ｄの隙間が生じてしまう。この隙間が一つの単位片１４の短辺より大きくなると、そ
の隙間を空き時間と誤解してしまう必要がある。一日用のスケジュールバーを用いる
ときに好適な隙間代を検討する。単位片の短辺が３０分と設定し、一日の時間の中で、
連続した一つの用事に当てられる最も長い時間帯が午後１時から午後６時までの５時
間であるとすると、この時間は１０単位分となる。そうすると隙間代Δｄは本来の長
さの１／１０以下とするのが望ましいことになる。もっともこれは好適な一例であり、
勤務環境などにより望ましい隙間代は異なる。
【００４５】
［実施例２］−スケジュール表示シート及び単位片の形状・寸法−
図１０は、本発明の他の実施例を示している。この実施例では、スケジュール表示
用シート帳１０の具体的構成を開示している。縦方向に細長く、かつ各シートの単位
片１４を横方向に細長く形成することで、１枚のシートから多数の単位片１４を切り
取ることができるようにしている。一枚のシートで一日分のスケジュールを立てるの
に必要な単位片を取ることができるようにすることが望ましい。図示のものでは、１
２個の単位片１４で一枚のシートを構成している。
【００４６】
好適な一例として、出願人の試作品では単位片の短辺を１２ｍｍ、長辺を５５ｍｍ
としている。各単位片の短辺長は、市販のノート帳の細罫で２行分位の長さとしてい
る。短辺長が短すぎると、一枚の単位片に用事を書き込むときに狭すぎて不便である
し、短辺長が長すぎると、一定長さのスケジュールバーに貼り付けることができる単
位片の数が少なくなり、一枚の単位片に割り当てる単位時間を長くする必要がある。
図示例ではこの単位時間を３０分としているが、短辺長を２倍として単位時間を１時
間とすると、もっと短い時間を単位としてスケジュールを立てるときに、本発明のス
ケジュール管理方法を適用しにくい。
【００４７】
［実施例３］−単位片の破断線−
破断線１８は、鋭利な鋭い切れ目を短い間隔で穿設したミシン目としている。切れ
目自身も、切れ目と切れ目との間の継ぎ目部分の長さも短くすることが望ましい。そ
して図３に想像線で示すようにスケジュール表示用シート１２の一端を摘んでシート
を撓めたり、或いは図１１に示すように複数枚のスケジュール表示用シート１２を指
の間に挟んで屈曲させることで破断線に折目を付ける。そうすると、必要数の単位片
１４をカウントすることが容易となる。スケジュール表示用シート帳の各シートの破
断線１８は相互に重なり合うように穿設するとよい。なお、試作例では、ミシン目の
切れ目部分の長さを１ｍｍ、切れ目部分間の連続部分の長さを０．５ｍｍとして、容
易に折り曲げ及び切り取り可能としている。
【００４８】
［実施例４］−単位片カウント用の目印−
実施例３のように破断線を折目線とする構成に代えて、あるいはこの構成とともに、
各単位片１４毎に、単位片カウント用の目印２４を設けてもよい。例えば図１２（Ｃ）
のように各単位片１４毎に番号をふって目印２４としているが、他の目的の印刷と兼
用してもよい。図１０では、単位片１４毎に印刷した罫線を、また図１２（Ａ）では、
単位片に印刷した時間表示を、それぞれ目印２４としている。さらに図１２（Ｂ）の
如く、印刷に代えて単位片に切込みをいれて目印としてもよい。
以下、本発明の他の実施形態について説明する。これらの説明において、第１実施
形態と同じ構成については同一の符号を付することで説明を省略する。
【００４９】
図１３及び図１４は、本発明の第２の実施形態を示している。この実施形態では、
単位片の各端部に粘着層を設けている。この場合には、スケジュールバーに粘着層を
形成する必要がない。
【００５０】
具体的には、スケジュール表示用シート１２の短辺側の一端部ｍ裏面を粘着層とし
て、重ね合わせて結束している。この結束側の端部を固定端２６とし、短辺側の端部
を自由端２８としている。
【００５１】
また、各単位片の長辺の一端部を切り込み線３０とし、残る長辺部分を破断線とし
ている。こうすると切り込み線穿設箇所で各単位片は分離しているから、図１４に示
す如く一端部を摘んでひっばることで、切り込み線に連続する側から破断線を容易に
破断させることができる。
【００５２】
上記切り込み線３０は固定端の側に穿設することが望ましい。これにより、必要数
の単位片をシートから切り離すことが容易になるからである。また、自由端側に切り
込みを入れると、スケジュールバーに単位片からなる一つのピースを貼り付けたとき
に、自由端側が切り込まれていて、体裁が悪く、書き込んだメモを読み取りにくいと
いう問題点があるが、固定端側では、こうした問題が生じにくい。なぜなら、切り離
した各端部がスケジュールバーの表面に粘着するからである。
【００５３】
図１５は、本発明の第３の実施形態を示している。本実施形態では、コンピュータ
画面の枠の一辺表面に一日用スケジュールバー２Ａを貼り付けるとともに、その一辺
に沿って時計表示２０を形成するプログラムを用いて現時刻を表示する。その時計表
示２０は、時間の経過とともに一辺の一端側から他端側へ時刻マーク２２が移動する
ように設計されている。従来からコンピュータ画面の一部に針時計のイメージを形成
し、それら長針及び短針が回転しながら原位置を示すものが広く使われている。その
針の回転運動を直線運動に置き換えるように既存の時計表示プログラムを改造すれば
足りる。単位時間内に時計表示が移動する距離は、スケジュールバーの一つ目盛の間
の距離と一致するようにしている。上記のプログラムは、インターネット通信を介し
てダウンロードすることができる。
【００５４】
上記のプログラムは、コンピュータを次の手段として機能させるように構成する。
（１）時計から時刻を取り出す手段
時計はコンピュータの内蔵時計又は外部の時計の何れでもよい。
（２）コンピュータ画面に時刻を表示するためのアイコンを形成する手段
図示例のアイコン（(時刻マーク)は、上端側から下方へ延びていく帯とし、帯の下端
で時刻を表示している。この種のアイコンは、例えば何かの情報をダウンロードする
ときに、ダウンロードした情報の割合を示すために普通に使用されており、本発明で
は、それを時刻表示手段に転用しただけである。もちろん、帯に限る必要はなく、例
えば矢印が時刻の経過とともに平行移動していくようにしてもよい。
（３）時刻表示用のアイコンをコンピュータ画面のＸＹ座標に出現させる手段
この座標のＸ軸またはＹ軸はコンピュータ画面のフレームの各辺に平行であるもの
とする。
（４）時刻表示用のアイコンのＸ座標又はＹ座標のうち、一方を固定し、他方を、（１）
で取り出した時刻に連動させて定速度で変化させる手段
時刻表示用のアイコンのＸ座標又はＹ座標の一方を移動させることでスケジュール
バーの目盛りに対して、上記アイコンを平行移動させることができる。アイコンの移
動範囲はコンピュータ画面のＸ軸またはＹ軸のほぼ端から端までとることが望ましく、
それによりスケジュールバーの目盛り間隔を十分大きくとることができる。アイコン
の移動速度は、スケジュールバーの目盛り全長の長さがＮ時間に相当するときには、
アイコンがその軌跡の始端から終端までＮ時間かけて等速直線運動するように設定す
れば足りる。
【００５５】
上記（１）から（４）までの手段は、スケジュールバーとの関係を除けば、従来公
知の技術であるので説明を省略する。この種のアイコンを表示させるプログラムは、
一般にはガジェットと呼ばれ、通常は、本来のパソコン業務を妨げないようにコンピ
ュータ画面の端にアイコンを表示できるようにする。これらのプログラムはＨＴＭＬ
やJava（登録商標）Scriptで作成することができる。前者はインターネット上で書式設定
に用いるマークアップ言語であり、後者はガジェットに動きを追加するスクリプト言
語である。
【図面の簡単な説明】
【００５６】
【図１】本発明の第1の実施形態に係るスケジュール管理用具のスケジュールバーの正面図である。
【図２】図１のスケジュールバーバーの縦断面図である。
【図３】同実施形態のスケジュール管理用具のスケジュール表示用シートの斜視図である。
【図４】図１のスケジュールバーの変形例の正面図である。
【図５】図１のスケジュールバーの他の変形例の一部省略正面図である。
【図６】同実施形態のスケジュール管理用具の使用例である。
【図７】同実施形態のスケジュール管理用具をコンピュータ画面の枠に適用した例である。
【図８】本発明に係るスケジュール管理用具の一の実施例の説明図である。
【図９】同実施例の他の説明図である。
【図１０】本発明の、スケジュール表示用シート帳の第１の実施例である。
【図１１】同シート帳の第２の実施例である。
【図１２】同シート帳の第３の実施例である。
【図１３】本発明の第２の実施形態に係るスケジュール表示用シート帳の正面図である。
【図１４】図１３のシート帳の斜視図である。
【図１５】本発明の第３の実施形態に係るスケジュール管理方法の説明図である。
【符号の説明】
【００５７】
２…スケジュールバー  ２Ａ…一日用スケジュールバー
２Ｂ…数日用スケジュールバー  ４…時間目盛  ６、８…粘着層
１０…スケジュール表示用シート帳  １２…スケジュール表示用シート
１４…単位片  １６…予定表示ピース  １８…破断線  ２０…時計表示
２２…時刻マーク  ２４…単位片カウント用の目印
２…固定端  ２８…自由端  ３０…切り込み線
Ｓ…固定面  Ｆ…枠  
【図１】
2009241296.tif 000003
【図２】
2009241296.tif 000004
【図３】
2009241296.tif 000005
【図４】
2009241296.tif 000006
【図５】
2009241296.tif 000007
【図６】
2009241296.tif 000008
【図７】
2009241296.tif 000009
【図８】
2009241296.tif 000010
【図９】
2009241296.tif 000011
【図１０】
2009241296.tif 000012
【図１１】
2009241296.tif 000013
【図１２】
2009241296.tif 000014
【図１３】
2009241296.tif 000015
【図１４】
2009241296.tif 000016
【図１５】
2009241296.tif 000017